(57)【要約】    【課題】衝撃に対する緩衝性を持たせると共に、書道用具の収納運搬用に使用しないときには、一般のバッグとしても使用可能なものを提供する。    【解決手段】前後板（３，４）、左右側板（５，６）、上部（７）及び底部（８）からなり、前記上部（８）及び前記左右側板（５，６）が前後に開閉可能な外側ケース（１）を有するバッグである。前後に分離された前記左右側板（５，６）のそれぞれ（５ａ，５ｂ；６ａ，６ｂ）を連結片（１１，１２）でつないでいる。  前記連結片（１１，１２）に対して少なくとも２枚の仕切板（１５，１６）が垂直方向に固定されている。前記２枚の仕切板（１５，１６）の間に内側ケース（２）が挿入可能である。【選択図】図５
2007307100.tif 000002
【特許請求の範囲】
【請求項１】
前後板（３，４）、左右側板（５，６）、上部（７）及び底部（８）からなり、前記上部（８）及び前記左右側板（５，６）が前後に開閉可能な外側ケース（１）を有するバッグにおいて、
前後に分離された前記左右側板（５，６）のそれぞれ（５ａ，５ｂ；６ａ，６ｂ）をつなぐ連結片（１１，１２）と、
前記連結片（１１，１２）に対して垂直方向に固定された少なくとも２枚の仕切板（１５，１６）とを有することを特徴とするバッグ。
【請求項２】
前後にバッグを開放したとき、前記前後板（３，４）の開放角度が６０〜１２０度になるように前記連結片（１１，１２）を取り付けた請求項１記載のバッグ。
【請求項３】
前記連結片（１１，１２）の最大高さがバッグの高さの１／３〜２／３である請求項１又は２記載のバッグ。
【請求項４】
前記連結片（１１，１２）がバッグの全開時には扇形を呈し、扇の要に当たる部分は切り欠き（１３，１４）となっている請求項１ないし３の何れかに記載のバッグ。
【請求項５】
前記仕切板（１５，１６）の下部が固定されていない請求項１ないし４の何れかに記載のバッグ。
【請求項６】
前後板（３，４）、左右側板（５，６）、上部（７）及び底部（８）からなり、前記上部（８）及び前記左右側板（５，６）が前後に開閉可能な外側ケース（１）を有するバッグにおいて、
前後に分離された前記左右側板（５，６）のそれぞれ（５ａ，５ｂ；６ａ，６ｂ）をつなぐ連結片（１１，１２）と、
前記連結片（１１，１２）に対して垂直方向に固定された少なくとも２枚の仕切板（１５，１６）と、
前記２枚の仕切板（１５，１６）の間に挿入可能な内側ケース（２）
からなることを特徴とするバッグ。
【請求項７】
前記内側ケース（２）が、中央で折り畳みが可能な基布（１８）と、この基布（１８）上の収納部（１９）と、固定紐（２０）からなる請求項６記載のバッグ。
【請求項８】
前記仕切板（１５，１６）の高さがバッグの高さの１／３〜２／３であり、前記内側ケース（２）の折り畳んだ高さが、バッグの高さとほぼ同じかそれよりやや低いものである請求項６記載のバッグ。
【発明の詳細な説明】
【技術分野】
【０００１】
本発明はバッグに関する。このバッグは、もともと書道用具の収納運搬用に開発されたものであり、以下の説明もそれに関して行うが、それ以外のものも収容可能なので、用途は特に限定しない。
【背景技術】
【０００２】
書道用具は、硯、墨、筆、墨汁容器、和紙、等から構成され、仕切り付きのプラスチックケースや木箱に収納されることが多い。それだけでは運搬に不便なので、上カバーと取っ手を取り付けて運搬・収納ケースとした考案も知られている（例えば、特許文献１参照）。
【特許文献１】実開昭６１−２０２２３３号公報
【発明の開示】
【発明が解決しようとする課題】
【０００３】
特許文献１の収納・運搬ケースは、必要最小限の構成要素からなるので、落下などの衝撃に対する対策がなく、また、他の用途に転用することがまず不可能である。
【０００４】
本発明では、衝撃に対する緩衝性を持たせると共に、書道用具の収納運搬用に使用しないときには、一般のバッグとしても使用可能なものを提供することを目的とする。
【課題を解決するための手段】
【０００５】
請求項１記載の本発明のバッグは、前後板、左右側板、上部及び底部からなり、上部及び左右側板が前後に開閉可能な外側ケースを有するバッグにおいて、前後に分離された前記左右側板のそれぞれをつなぐ連結片と、前記連結片に対して垂直方向に固定された少なくとも２枚の仕切り板とを有することを特徴とする。
【０００６】
請求項６記載の本発明のバッグは、前後板、左右側板、上部及び底部からなり、上部及び左右側板が前後に開閉可能な外側ケースを有するバッグにおいて、前後に分離された前記左右側板のそれぞれをつなぐ連結片と、前記連結片に対して垂直方向に固定された少なくとも２枚の仕切り板と、前記２枚の仕切板の間に挿入可能な内側ケースからなることを特徴とする。
【発明の効果】
【０００７】
請求項１のバッグは、連結片により支持された少なくとも２枚の仕切板を有するので、この間にいろいろなものを収納することができる。
【０００８】
請求項６のバッグは、請求項１のバッグに内側ケースを加えたものであり、前記２枚の仕切板の間にこの内側ケースを収容することができる。そのことにより、内容物は内側ケース及び外側ケースにより二重に保護されるので、落下の衝撃などに対して比較的に強い。また、書道用具を収納・運搬しないときには、内側ケースを取り除いて、一般のバッグとして使用することができる。
【発明を実施するための最良の形態】
【０００９】
前後にバッグを開放したとき、前後板の開放角度が６０〜１２０度になるように連結片を取り付ける。好ましくは８０〜１１０度、より好ましくは９０度とする。このようにすることにより、バッグを開放したときに仕切板が自動的に起立するので、収納物の出し入れが容易となる。
【００１０】
連結片の最大高さは、内容物の出し入れの容易さの観点から見て、バッグの高さの１／３〜２／３程度が好ましく、より好ましくは１／２である。
【００１１】
連結片は、前後に分離された前記左右側板のそれぞれをつなぐものであれば、形状や大きさを問わない。例えば、バッグの全開時に扇形を呈するようにすると美感上好ましい。扇の要に当たる部分は、バッグ閉鎖時に連結片がたるんでバッグ開閉の妨げとなり易いので、切り欠きとするのが好ましい。
【００１２】
仕切板の高さはバッグの高さの１／３〜２／３が好ましく、より好ましくは１／２である。仕切板の下部は固定しても構わないが、連結片により支持されているので固定する必要はない。仕切板は、通常は２枚でよいが、内容物によっては３枚以上設けることもできる。
【００１３】
内側ケースは、例えば、中央で折り畳みが可能な基布と、この基布上の収納部と、固定紐からなるものを使用することができる。収納部は、例えば、別途用意した仕切付きケースとしたり、収納小物に合わせた小袋としたりすることができる。固定紐は、ボタン付きのテープ紐や面ファスナが適当である。この実施態様では、基布を２つに折り畳んだとき、左右側部が開放され、密閉されないが、本明細書では「ケース」に含める。このような内側ケースを使用することにより、内容物がしっかりと固定されて動かないようになるので、たとえバッグが上下逆になっても内容物が散乱するような事態は避けられる。
【００１４】
内側ケースとして、上記した基布や収納部を使用せず、市販されている別体の扁平な密閉型バッグや書道用具収納箱をそのまま使用することもできる。
【００１５】
内側ケースの高さは、バッグの高さとほぼ同じかそれよりやや低いものであるのが普通である。バッグの内部スペースに最大限に収納するためである。また、このように内側ケースを仕切板よりも高くしておくことにより、内側ケースだけを手で握りやすくなり、出し入れが容易となる。
【実施例１】
【００１６】
以下、添付の図面に基づき、本発明の実施例を説明する。
【００１７】
本実施例に係るバッグは外側ケース１と内側ケース２からなる。図１は本実施例に係るバッグの外側ケース１の側面図、図２は同平面図である。図３は内側ケースの展開図、図４は同組立状態の側面図である。図５は内外ケースを組み合わせた状態の側面図、図６は同平面図である。
【００１８】
図１及び２に示すように、外側ケース１は、一般のバッグと同様、前後板３，４、左右側板５（５ａ，５ｂ），６（６ａ，６ｂ）、上部７及び底部８からなるほぼ直方体の布製ケースで提げ手９を有する。外側ケース１は、発泡ウレタンなどの詰め物をするなどして、緩衝性を持たせている。左右側板５，６及び上部７の長手方向中央には、全開可能なスライドファスナ１０が取り付けられていて、底部８を残して、前後にバッグを開放することが可能である。
【００１９】
図１に示すように、スライドファスナ１０を全開してバッグを開放したときでも、前後板３，４は１８０度倒れることはなく、最大でも約９０度に開く。それは、左右側板５，６のそれぞれに、連結片１１，１２が固定されていて、それ以上の開放を阻止しているからである。連結片１１，１２の両端部は、開放され分離状態にある側板５ａ，５ｂ；６ａ，６ｂの下半分にそれぞれ縫製により固定されている。連結片１１，１２は、全開時には扇形を呈するが、バッグの閉鎖時には自然に折り畳まれる。連結片１１，１２は、バッグの開閉の邪魔にならないように、扇の要に当たる部分は布がくり抜かれていて切り欠き１３，１４となっている。
【００２０】
左右連結片１１，１２に対して垂直方向に仕切板１５，１６が縫製などにより２枚取り付けられている。仕切板１５，１６の高さは、連結片１１，１２の最大高さとほぼ同じで、バッグの高さの約１／２程度である。仕切板の底部はバッグ底部に固定されておらず、左右連結片１１，１２のみにより支持されている。２枚の仕切板１５，１６の間には、後記するように、内側ケース２が挿入される。従って、２枚の仕切板の間隔は、内側ケース２の厚みとほぼ同じかそれよりもやや大きいということができる。また、バッグを閉じたとき、２枚の仕切板１５，１６と前後板３，４の間には隙間ができないようにする方がよい。この隙間があれば内側ケース２が安定しないからである。
【００２１】
内側ケース２は、実際に書道用具を収納する場所である。図３及び図４に示されているように、中央で２つに折り畳みが可能な厚手の基布１８と、この基布１８上の収納部１９と、固定紐２０からなる。収納部１９は基布の内側片面に取り付けられる。この例では、硯、墨汁容器、筆、墨などが個別に収容できる複数の小袋２１からなる。収納部１９は基布１８に直接取り付けてもよいし、取り外しのできる別体の収容容器であってもよい。筆や巻き上げた和紙のように長い物２３は、袋の中に収容しなくても、小袋の間の隙間などに詰めたり、テープのようなもので中央部だけを押さえておくこともできる。
【００２２】
内側ケース２は、書道用具を収納した後で、収納部１９を覆うように基布１８を２つ折りにすることにより、図４に示すＵ字形状となる。畳まれた基布１８が不用意に開かないように、基布１８はＵ字の頂部で固定紐２０により固定される。固定紐２０は、この例では、面ファスナである。
【００２３】
使用時には、書道用具を収納した内側ケース２を外側ケース１の２つの仕切板１５，１６の間に挿入して、図５，６に示す状態とする。その後、外側ケースのスライドファスナを締めれば、収納・運搬状態となる。
【００２４】
本発明のバッグは、書道用具を収納・運搬するときには、書道用具が内側ケース２及び外側ケース１により二重に保護されるので、落下の衝撃などに対して比較的に強い。また、書道用具を収納・運搬しないときには、内側ケースを取り除いて、一般のバッグとして使用することができる。
【００２５】
本発明のバックから内容物（書道用具）を取り出すときには、バッグを開放するだけで、内容物が起立状態となる（図５参照）ので、出し入れが容易である。さらに、内側ケース２が仕切板１５，１６よりも高いので、内側ケース２だけを手で握りやすく、出し入れが容易である。
【図面の簡単な説明】
【００２６】
【図１】本発明に係るバッグの外側ケースの側面図である。
【図２】図１の平面図である。
【図３】内側ケースの展開図である。
【図４】内側ケースの組立状態の側面図である。
【図５】内外ケースを組み合わせた状態の側面図である。
【図６】図５の平面図である。
【符号の説明】
【００２７】
１     外側ケース
２     内側ケース
３，４ 前後板
５，６ 左右側板
５ａ，５ｂ    側板
６ａ，６ｂ    側板
７     上部
８     底部
９     提げ手
１０   スライドファスナ
１１，１２    左右連結片
１５，１６    仕切板
１８   基布
１９   収納部
２０   固定紐
２１   小袋
【図１】
2007307100.tif 000003
【図２】
2007307100.tif 000004
【図３】
2007307100.tif 000005
【図４】
2007307100.tif 000006
【図５】
2007307100.tif 000007
【図６】
2007307100.tif 000008